(57)【要約】【課題】装着者の身体を確実に寝具上に固定しつつ装着者の腋窩への負担を軽減したベスト式抑制具を提供することを課題とする。【解決手段】ベスト式抑制具１０は、寝具上の設定位置に固定される後身頃１４と、後身頃１４に取付けられた左前身頃１６Ｌ及び右前身頃１６Ｒと、を備えている。左前身頃１６Ｌには、装着者Ｈの腋窩ＥＬに当接するクッション６４Ｌが取付けられている。このクッション６４Ｌは、左前身頃１６Ｌのアームホール下端位置に縫い付けられた中央上抑制帯土台５８ＬＭと、この中央上抑制帯土台５８ＬＭに縫い付けられた中央上抑制帯６０ＬＭと、の両方に縫い付けられている。右前身頃１６Ｒにも、同様に、装着者Ｈの腋窩ＥＲに当接するクッション６４Ｒが取付けられている。【選択図】図１
2011140722.tif 000002
【特許請求の範囲】
【請求項１】
装着者の背面側に位置する後身頃と、
前記後身頃に取付けられ、前記後身頃とで装着者の上半身を包み込む前身頃と、
前記後身頃又は前記前身頃の少なくとも一方に設けられ、寝具に固定される固定部材と、
前記後身頃と前記前身頃とで装着者の上半身を包み込んだときに両腋窩に当接する位置の前記後身頃又は前記前身頃にそれぞれ配置されたクッションと、
を有する、ベスト式抑制具。
【請求項２】
前記後身頃と前記前身頃とで形成されて装着者の両腕が通るアームホールの下端側に、前記固定部材が縫い付けられる土台が設けられ、前記クッションが前記土台に取付けられている、請求項１に記載のベスト式抑制具。
【請求項３】
前記前身頃が、装着者の正面側で連結される左前身頃と右前身頃とで構成されている、請求項１又は２に記載のベスト式抑制具。
【請求項４】
前記後身頃と前記左前身頃とで形成されて装着者の左腕が通るアームホールの上端側が互いに着脱自在とされ、
前記後身頃と前記右前身頃とで形成されて装着者の右腕が通るアームホールの上端側も互いに着脱自在とされている、請求項３に記載のベスト式抑制具。
【請求項５】
前記前身頃及び前記後身頃の外側から装着者の上腹部を締付ける上ベルトと、
前記前身頃及び前記後身頃の外側から装着者の下腹部を締付ける下ベルトと、
を備えた、請求項１〜４のうち何れか１項に記載のベスト式抑制具。
【請求項６】
前記前身頃の内側に、芳香材を入れる内ポケットが設けられている、請求項１〜５のうち何れか１項に記載のベスト式抑制具。
【発明の詳細な説明】
【技術分野】
【０００１】
本発明は、ベスト式抑制具に関するものであり、特に、患者の体幹全体を安全かつ確実に抑制するのに最適なベスト式抑制具に関する。
【背景技術】
【０００２】
患者等の人間をベッドなどの寝具に固定するベスト式抑制具が知られている。このベスト式抑制具は、特に、動きの激しい患者を固定することに用いられている。
ところで、ベスト式抑制具は、肩抑制と体幹抑制とで固定する方式、すなわち、肩と腰との２箇所を抑制することで寝具に固定する方式が一般的である。
【先行技術文献】
【特許文献】
【０００３】
【特許文献１】実開平０２−１３６０１０号公報
【発明の概要】
【発明が解決しようとする課題】
【０００４】
しかし、従来のベスト式抑制具では、肩と腰の２箇所で支えるだけで抑制するため、体幹が崩れ落ち易く、装着者の腋窩に作用する支持力で装着者が不快な痛みを感じるという懸念がある。このことは、特に体動の激しい患者に対して顕著である。
本発明は、上記事実を考慮して、装着者の身体を確実に寝具上に固定しつつ装着者の腋窩への負担を軽減したベスト式抑制具を提供することを課題とする。
【課題を解決するための手段】
【０００５】
請求項１に記載の発明は、装着者の背面側に位置する後身頃と、前記後身頃に取付けられ、前記後身頃とで装着者の上半身を包み込む前身頃と、前記後身頃又は前記前身頃の少なくとも一方に設けられ、寝具に固定される固定部材と、前記後身頃と前記前身頃とで装着者の上半身を包み込んだときに両腋窩に当接する位置の前記後身頃又は前記前身頃にそれぞれ配置されたクッションと、を有する。
前身頃は１枚で構成されていてもよいし、右前身頃及び左前身頃の２枚で構成されていてもよい。
請求項１に記載の発明では、装着者に腋窩で支える力が身頃を介して作用しても、クッションによって腋窩及びその周囲に力が作用する。従って、腋窩の一部に集中力が作用することが回避されるので、装着者が感じる不快な痛みを大幅に和らげることができ、装着者の腋窩への負担が軽減される。そして、このように装着者が感じる不快な痛みを大幅に和らげても、装着者の身体を確実に寝具（例えばベッド）上に固定することができる。
【０００６】
請求項２に記載の発明は、前記後身頃と前記前身頃とで形成されて装着者の両腕が通るアームホールの下端側に、前記固定部材が縫い付けられる土台が設けられ、前記クッションが前記土台に取付けられている。
これにより、クッションが腋窩に好ましい状態で当接するように前身頃から脇側へはみ出した位置にしても、クッションを強い固定力で固定することができる。
【０００７】
請求項３に記載の発明は、前記前身頃が、装着者の正面側で連結される左前身頃と右前身頃とで構成されている。
これにより、装着者の胸囲寸法やウェスト寸法の違いによらずに、装着者を短時間で簡単に寝具上に固定することができる。
【０００８】
請求項４に記載の発明は、前記後身頃と前記左前身頃とで形成されて装着者の左腕が通るアームホールの上端側が互いに着脱自在とされ、前記後身頃と前記右前身頃とで形成されて装着者の右腕が通るアームホールの上端側も互いに着脱自在とされている。
これにより、アームホールの上端側が開放されている状態で装着者の腕をアームホール内へ配置し、その後にアームホールの上端側を閉じることができる。
【０００９】
請求項５に記載の発明は、前記前身頃及び前記後身頃の外側から装着者の上腹部を締付ける上ベルトと、前記前身頃及び前記後身頃の外側から装着者の下腹部を締付ける下ベルトと、を備えている。
これにより、体幹が身長方向に移動しないように確実に支えることができる。
【００１０】
請求項６に記載の発明は、前記前身頃の内側に、芳香材を入れる内ポケットが設けられている。
請求項６に記載の発明では、芳香材が体温で暖められて香りが漂いやすくなり、この香りが装着者の鼻に到達しやすい。
芳香材としては、例えばアロマ効果のある植物、精油の固形物等である。これにより、装着者が体動の激しい患者である場合に香りで落ち着かせることができるという効果を奏する。
【発明の効果】
【００１１】
本発明によれば、装着者の身体を確実に寝具上に固定しつつ装着者の腋窩への負担を軽減したベスト式抑制具とすることができる。
【図面の簡単な説明】
【００１２】
【図１】本発明の一実施形態に係るベスト式抑制具の正面図。
【図２】本発明の一実施形態に係るベスト式抑制具の後身頃の背面図。
【図３】本発明の一実施形態に係るベスト式抑制具の後身頃の内側を示す裏面図。
【図４】図４（Ａ）及び（Ｂ）は、それぞれ、本発明の一実施形態に係るベスト式抑制具の右前身頃の正面図、及び、右前身頃の内側を示す裏面図。
【図５】本発明の一実施形態に係るベスト式抑制具の左前身頃の正面図。
【図６】本発明の一実施形態に係るベスト式抑制具の抑制帯の正面図。
【図７】図７（Ａ）及び（Ｂ）は、それぞれ、本発明の一実施形態に係るベスト式抑制具のクッションを説明する平面図、及び、図７（Ａ）の断面７Ｂ−７Ｂの構成を説明する説明図。
【図８】本発明の一実施形態に係るベスト式抑制具の抑制帯の部分拡大図。
【図９】本発明の一実施形態に係るベスト式抑制具の抑制帯のバックルを示す正面図。
【図１０】図１０（Ａ）及び（Ｂ）は、それぞれ、本発明の一実施形態に係るベスト式抑制具の抑制帯の使用形態を説明する説明図。
【図１１】本発明の一実施形態に係るベスト式抑制具で、右前身頃の正面中央の面ファスナーと左前身頃の正面中央の面ファスナーとの着脱を説明する平面図。
【図１２】本発明の一実施形態に係るベスト式抑制具を装着者に装着することを説明する平面図。
【発明を実施するための形態】
【００１３】
以下、実施形態を挙げ、本発明の実施の形態について説明する。図１〜図５に示すように、本発明の一実施形態に係るベスト式抑制具１０は、寝具上の設定位置に固定され、装着者の背面側が位置する後身頃１４と、後身頃１４に着脱自在に取付けられ、後身頃１４とで装着者の上半身を包み込む前身頃１６と、を備えている。前身頃１６は、着衣時に装着者Ｈ（着衣者）の前左側を覆う左前身頃１６Ｌと、着衣時に装着者の前右側を覆う右前身頃１６Ｒとで構成される。
【００１４】
前身頃１６及び後身頃１４の生地は柄物を使用してカジュアルウェアの要素を取り入れ、外観上の抑制感がないように倫理的配慮をする。柄は濃色面積が少ないものを選び、患者が出血していたらすぐにわかるものにする。前身頃１６及び後身頃１４の表地・裏地は例えば綿１００％のブロード地で、比較的薄く柔らか目のものを使用する。そして、生地の間に中綿（例えばポリエステル１００％の薄いもの）を入れてキルティング加工を施すことにより支持力を強化し、生地・中綿の薄さにより中に熱が籠らないようにする。このようにすると前身頃１６及び後身頃１４に熱を籠らせないことができ、体温の高い装着者Ｈ（患者）にも快適に使用できる。生地と中綿の間にはスパンボンド不織布を入れて縫製後や洗濯後に中綿が表に出てこないように工夫している。
【００１５】
図３に示すように、後身頃１４の内側（裏面側）でベスト左右両側には、一列に配列された面ファスナー２０Ｌ、２０Ｒがそれぞれ固定されている。また、後身頃１４の内側でベスト両肩部にもそれぞれ面ファスナー２２Ｌ、２２Ｒが固定されている。
【００１６】
図４（Ａ）及び（Ｂ）に示すように、右前身頃１６Ｒの正面右側端部には、面ファスナー２０Ｒに着脱自在に連結される面ファスナー３０Ｒが一列に固定されている。ここで、この面ファスナー３０Ｒが固定されている右前身頃１６Ｒの正面右側端部は内側へ折り曲げられており、折り曲げた部分の装着者側の面に面ファスナー３０Ｒが固定されている。そして、右前身頃１６Ｒの肩部にも、後身頃１４の面ファスナー２２Ｒに固定される面ファスナー３２Ｒが固定されている。右前身頃１６Ｒの肩部端部も内側へ折り曲げられており、折り曲げられた部分の装着者側の面に面ファスナー３２Ｒが固定されている。
【００１７】
同様に、図５に示すように、左前身頃１６Ｌの正面左側端部には、面ファスナー２０Ｌに着脱自在に連結される面ファスナー３０Ｌが一列に固定されている。右前身頃１６Ｒと同様、この面ファスナー３０Ｌが固定されている左前身頃１６Ｌの正面左側端部は内側へ折り曲げられており、折り曲げた部分の装着者側の面に面ファスナー３０Ｌが固定されている。そして、左前身頃１６Ｌの肩部にも、後身頃１４の面ファスナー２２Ｌに固定される面ファスナー３２Ｌが固定されている。左前身頃１６Ｌの肩部端部も内側へ折り曲げられており、折り曲げられた部分の装着者側の面にこの面ファスナー３２Ｌが固定されている。
【００１８】
そして、図４、図５、図１１に示すように、右前身頃１６Ｒの正面左側（装着者の中央側）には、外側に４つの面ファスナー３６Ｒが一列に固定され、左前身頃１６Ｌの正面右側（装着者の中央側）には、この４つの面ファスナー３６Ｒにそれぞれ着脱自在に連結される４つの面ファスナー３６Ｌが一列に固定されている。
【００１９】
装着者Ｈの正面中央側に位置する面ファスナー３６Ｒ、３６Ｌ、及び、装着者Ｈの肩部に位置する面ファスナー２２Ｌ、２２Ｒ、３２Ｌ、３２Ｒは、例えば、５ｃｍ巾を９ｃｍにカットしたものである。装着者Ｈの左右両側に位置する面ファスナー３０Ｌ、３０Ｒは、例えば、５ｃｍ巾で８ｃｍにカットしたものである。何れの面ファスナーであっても身巾調節が可能であり、装着者Ｈの正面中央側の面ファスナー、及び、装着者Ｈの左右両側の面ファスナー、の両方で調節すればかなり広範囲でサイズ調節ができる（着丈は、例えば５５〜５７cmであり、身巾は例えば８０〜１０６ｃｍである）。面ファスナーとしては、寸法が大きいほうが広範囲のサイズ対応ができて好ましい。
【００２０】
また、後身頃１４には、装着者Ｈの上腹部を締付ける上ベルト４０Ｌ、４０Ｒが、ベスト式抑制具１０の左右両側から延び出している。上ベルト４０Ｌ、４０Ｒの一端部は、何れも、後身頃１４の背面外側に端部で縫い付けられており、上ベルト４０Ｌ、４０Ｒの他端部には、それぞれ、互いに連結し合う一対のバックル４２、４４（図９、図１０参照）が設けられている。従って、ベスト前側でバックル４２、４４の連結、連結解除の切替が簡単に行われる。更に、上ベルト４０に設けられたベルト長さ調整具４６を移動させることで、簡単にサイズ調節ができる。
【００２１】
また、後身頃１４には、装着者Ｈの下腹部を締付ける下ベルト５０Ｌ、５０Ｒが、ベスト式抑制具１０の左右両側から延び出している。下ベルト５０Ｌ、５０Ｒについても上ベルト４０Ｌ、４０Ｒと同様の構成にされている。
そして、上ベルト４０Ｌ、４０Ｒ、下ベルト５０Ｌ、５０Ｒでは、バックル４２、４４及びベルト長さ調整具４６以外はすべて繊維のみで構成されている。従って、ベルトを外せば装着したままレントゲン撮影ができる構成になっている。
【００２２】
なお、上ベルト４０Ｌ、４０Ｒ、下ベルト５０Ｌ、５０Ｒとして、後述の抑制帯６０と同じものに前身頃１６と同色同柄の素材を表裏重ねて使用することで、特に外観上、抑制感が更になくなるという効果を奏することができる。また、バックル４２、４４及びベルト長さ調整具４６を金属製にせずにカバンに使用されるような強化プラスチック製とすることで、抑制具のイメージを軽減することができる。
【００２３】
また、後身頃１４には７ヶ所（両肩部にそれぞれ１ヶ所ずつ、首部に１ヶ所、腹部の左右両側にそれぞれ２ヶ所ずつの計７ヶ所）にそれぞれ抑制帯土台５８Ｂ（図２参照）が縫い付けられている。そして、一端部で各抑制帯土台５８Ｂに縫い付けられ、他端部でベッドなど（図示せず）に結ばれて固定される７本の抑制帯６０Ｂが設けられている。
【００２４】
また、後身頃１４と左前身頃１６Ｌとで形成されて装着者Ｈの左腕が通るアームホール１５Ｌの下端位置の左前身頃１６Ｌにも抑制帯土台５８Ｌ（図１、図５参照）が縫い付けられている。そして、一端部で抑制帯土台５８Ｌに縫い付けられ他端部でベッドなど（図示せず）に結ばれて固定される抑制帯６０Ｌが設けられている。更に、左前身頃１６Ｌの腹部位置、及び、肩部位置にもそれぞれ抑制帯土台５８Ｌが縫い付けられており、各抑制帯土台５８Ｌに抑制帯６０Ｌが一端部で縫い付けられている。
【００２５】
後身頃１４と右前身頃１６Ｒとで形成されて装着者Ｈの右腕が通るアームホール１５Ｒの下端位置の右前身頃１６Ｒにも抑制帯土台５８Ｒ（図１、図４、図６、図８参照）が縫い付けられている。そして、一端部で抑制帯土台５８Ｒに縫い付けられ他端部でベッドなど（図示せず）に結ばれて固定される抑制帯６０Ｒが設けられている。更に、右前身頃１６Ｒの腹部位置、及び、肩部位置にもそれぞれ抑制帯土台５８Ｒが縫い付けられており、各抑制帯土台５８Ｒに抑制帯６０Ｒが一端部で縫い付けられている。
これらの抑制帯６０Ｂ、６０Ｌ、６０Ｒで、前身頃と後身頃とでそれぞれ対になる２本をベッドに７ヵ所縛り、加えられる引張り力を分散する仕組みになっている。
【００２６】
左前身頃１６Ｌのアームホール下端位置に縫い付けられた抑制帯土台５８Ｌ（以下、この位置の抑制帯土台５８Ｌのことを中央上抑制帯土台５８ＬＭという）、及び、中央上抑制帯土台５８ＬＭに端部が縫い付けられた抑制帯６０Ｌ（以下、この抑制帯６０Ｌのことを中央上抑制帯６０ＬＭという）には、クッション６４Ｌが縫い付けられている。これにより、後身頃１４と前身頃１６とで装着者Ｈの上半身を包み込んだときにクッション６４Ｌが腋窩ＥＬ（図１参照）に好ましい状態で当接するように、前身頃１６から脇側へはみ出した位置にしても、クッション６４Ｌを強い固定力で固定することができる。
右前身頃１６Ｒについても同様に、アームホール下端位置に縫い付けられた抑制帯土台５８Ｒ（以下、中央上抑制帯土台５８ＲＭという）、及び、中央上抑制帯土台５８ＲＭに端部が縫い付けられた抑制帯６０Ｒ（以下、この抑制帯６０Ｒのことを中央上抑制帯６０ＲＭという）に、腋窩ＥＲ（図１参照）に好ましい状態で当接するようにクッション６４Ｒが縫い付けられている。
【００２７】
図７（Ａ）に示すように、クッション６４Ｌは、中央上抑制帯土台５８ＬＭ及び中央上抑制帯６０ＬＭを正面側及び背面側から挟むことができるように、長手方向の中央位置で二つ折で取り付ける構造にされている。クッション６４Ｌの表地には起毛された柔らかい素材（例えばフランネル）を使用し、中綿は肩パットで使用するような密度の高い素材を使用してクッション性を高める。具体例としては、例えば図７（Ｂ）に示すように、重ねられた５枚の中綿と、その両外面側に設けられたスパンボンド不織布と、更にその両外面側に設けられたフランネル（生地）と、でクッション６４Ｌが構成される。なお、フランネルに代えて、起毛した柔らかい綿１００％の素材としてもよい。クッション６４Ｌは、脇にかかる圧力を和らげるためのもので、圧がかかっても肌を傷つけないように工夫されている。中綿についてはやや密度を高くしてクッション性を高めている。
クッション６４Ｒについても同様の構成である。
【００２８】
また、図４（Ｂ）に示すように、右前身頃１６Ｒの見返し内には、芳香材を入れる内ポケット７０が設けられている。この内ポケット７０はスレキを使用した袋状のポケットである。そして、この内ポケット７０が設けられた位置は、体温で暖められ易い位置である。従って、芳香材が体温で暖められて香りが漂いやすくなり、この香りが装着者の鼻に到達しやすい。芳香材としては、例えばアロマ効果のある植物や精油を含んだ揮発性の固形物である。これにより、装着者が体動の激しい患者である場合に香りで落ち着かせることができるという効果を奏する。
そして、内ポケット７０の位置がちょうど胸の中心にあり、装着者Ｈが暴れるほど体温により温められた香りが上へ上がってくる仕組みになっている。なお、使用後の植物のゴミは袋状のポケットにより取り出し易い。
【００２９】
なお、抑制帯６０は、クッション６４の表地と同素材で、起毛した柔らかい綿１００％の生地を二枚仕立てにして、ポリエステル６５％・綿３５％のバイアステープで縁を挟んだものである。抑制帯６０の長さは、例えば、ベッドに最も縛り易い１ｍ（実験結果に基づく）である。
【００３０】
抑制帯６０の巾は例えば４．８ｃｍである。また、抑制帯土台５８を取り付け、しかも抑制帯土台５８の基底部分の巾を抑制帯巾の２倍にすることで、瞬時にかかる高圧を分散できる。これにより、前身頃１６や後身頃１４に抑制帯６０を直接に取り付けると抑制帯６０の一点に高い引張り力がかかることで耐久性が弱くなる懸念や、これを解消するために抑制帯６０を太くすると縛り辛くなってしまうという懸念はない。
【００３１】
以上説明したように、本実施形態では、ベッド上の設定位置に固定される後身頃１４と、後身頃１４に取付けられた前身頃１６（右前身頃１６Ｒ及び左前身頃１６Ｌ）と、を備えている。そして、前身頃１６には、身頃の装着者Ｈの腋窩Ｅに当接するクッション６４が配置されている。これにより、装着者Ｈに腋窩Ｅで支える力が作用しても、クッション６４によって腋窩Ｅ及びその周囲に力が作用する。従って、腋窩Ｅの一部に集中力が作用することが回避されるので、装着者Ｈが感じる不快な痛みを大幅に和らげることができ、装着者Ｈの腋窩Ｅへの負担が軽減される。しかも、クッション６４は、両腋窩ＥＬ、ＥＲに当接するように左右両側に配置されている。これにより、両側の腋窩で装着者Ｈへの負担が軽減される。そして、このように装着者Ｈが感じる不快な痛みを大幅に和らげても、従来と同様、装着者Ｈの身体を確実に寝具（例えばベッド）上に固定することができる。
【００３２】
このことは、認知力が低下している患者や体動が激しい患者に対しても、腋窩Ｅへの痛み軽減のために抑制帯６０に加えられる引張り力を軽減させなくても済むという大きな効果をもたらす。従って、患者の体動により身体に傷が付くこと、及び、点滴や気管挿管や胃管等を自己抜去することを回避する上で好ましい。また、両腋窩Ｅ（ＥＬ、ＥＲ）に褥瘡が形成されることを防止する上でも好ましい。
【００３３】
更に、クッション６４の表面側は、起毛された柔らかい生地が使用されているので、装着者Ｈに褥瘡が生じることを更に防止できる。
また、クッション６４が設けられていることで、外観上、縛り付けているような感覚を与えない。
【００３４】
また、前身頃１６及び後身頃１４の外周側から装着者Ｈの上腹部を締付ける上ベルト４０と、前身頃１６及び後身頃１４の外周側から装着者Ｈの下腹部を締付ける下ベルト５０と、がベスト式抑制具１０に設けられている。これにより、ベスト式抑制具１０が装着者Ｈの体幹にフィットし、ベッドアップ時などに装着者Ｈが身長方向にずれ落ちすることを防止できる。
【００３５】
また、前身頃１６が、装着者Ｈの正面側で互いに連結される左前身頃１６Ｌと右前身頃１６Ｒとで構成されている。これにより、後身頃１４をベッドに取り付け、面ファスナー２０Ｒ、３０Ｒを互いに連結させて後身頃１４に右前身頃１６Ｒを取り付け、更に、面ファスナー３０Ｌ、２０Ｌを互いに連結させて後身頃１４に左前身頃１６Ｌを取り付け、装着者Ｈ（患者）をベッドに寝かせて（図１２参照）、面ファスナー３６Ｒ、３６Ｌを互いに連結させて、すなわち右前身頃１６Ｒと左前身頃１６Ｌとを装着者正面側で連結し、面ファスナー２２Ｒ、３２Ｒ及び面ファスナー２２Ｌ、３２Ｌを互いに連結することで簡単にベスト式抑制具１０を装着者Ｈに装着させることができ、脱がせる時は面ファスナーを外すだけで簡単に前身頃１６が取り外せる。そして、これらのことが、装着者Ｈの胸囲やウェストの寸法の違いによらずに短時間で行うことができる。なお、右前身頃１６Ｒ、左前身頃１６Ｌを後身頃１４に連結する前に後身頃１６Ｒ上に装着者Ｈを寝かせ、右前身頃１６Ｒ、左前身頃１６Ｌを順に装着者Ｈにかぶせて面ファスナーを連結させてもよい。
【００３６】
そして、前身頃１６と後身頃１４とは面ファスナーで着脱自在に互いに固定されている。これにより、装着者Ｈの胸囲やウェストの寸法の違いによらずに装着者Ｈをベスト式抑制具１０で確実にしかもワンタッチで寝具上に固定することができる。
【００３７】
また、装着者Ｈの身体から後身頃１４にかかる力を７本の抑制帯６０で分散し、生地（例えばキルティング加工を施した生地）で体幹全体を覆うことにより、支持力が強化されている。
更に、抑制帯６０と身頃（前身頃１６や後身頃１４）との接続部位に抑制帯土台５８を設けて基底部分を広範囲にとることで、瞬時にかかる強い引っ張り力を分散させることができる。
【００３８】
以上、実施形態を挙げて本発明の実施の形態を説明したが、上記実施形態は一例であり、要旨を逸脱しない範囲内で種々変更して実施できる。また、本発明の権利範囲が上記実施形態に限定されないことは言うまでもない。
【符号の説明】
【００３９】
１０  ベスト式抑制具
１４  後身頃
１５Ｌ  アームホール
１５Ｒ  アームホール
１６  前身頃
１６Ｌ  左前身頃
１６Ｒ  右前身頃
４０  上ベルト
５０  下ベルト
６０  抑制帯（固定部材）
５８  抑制帯土台（土台）
６４  クッション
７０  内ポケット
Ｅ  腋窩
Ｈ  装着者
【図１】
2011140722.tif 000003
【図２】
2011140722.tif 000004
【図３】
2011140722.tif 000005
【図４】
2011140722.tif 000006
【図５】
2011140722.tif 000007
【図６】
2011140722.tif 000008
【図７】
2011140722.tif 000009
【図８】
2011140722.tif 000010
【図９】
2011140722.tif 000011
【図１０】
2011140722.tif 000012
【図１１】
2011140722.tif 000013
【図１２】
2011140722.tif 000014